(57)【要約】【課題】生地にハサミを入れることなく普通の着物を改造して、おはし折りが浮き上がらない、着姿に違和感の無い美麗な簡易着物を得る。【解決手段】身八ッ口の下端近傍が縦にダーツを取って縫製され、おはし折りの内側の上部折り返しが表側の生地とともに横方向に縫製されて止められ、前記ダーツを取っている縫製によってウエスト部位がくびれ、前記ダーツを取って縫製された部位が前記おはし折りの表側に位置している。左の衽に取り付けられたベルト通しが右の衽に取り付けられたベルト通しより高い位置に有る。【選択図】図１
2006249592.tif 000002
【特許請求の範囲】
【請求項１】
身八ッ口の下端近傍が縦にダーツを取って縫製され、おはし折りの内側の上部折り返しが表側の生地とともに横方向に縫製されて止められ、前記ダーツを取っている縫製によってウエスト部位がくびれ、前記ダーツを取って縫製された部位が前記おはし折りの表側に位置していることを特徴とする着物。
【請求項２】
着物の表側で、右側身八ッ口の下端近傍に第一のベルトが取り付けられ、着物の裏側で、左側身八ッ口の下端近傍に第二のベルトが取り付けられ、左右の衽に前記各ベルトを通すためのベルト通しが各々取り付けられていることを特徴とする請求項１に記載の着物。
【請求項３】
左の衽に取り付けられたベルト通しが右の衽に取り付けられたベルト通しより高い位置に有ることを特徴とする請求項２に記載の着物。
【請求項４】
前記ベルト通しが上下２段のループからなることを特徴とする請求項２又は３に記載の着物。
【請求項５】
袖の内部に伊達袖が取り付けられていることを特徴とする請求項１〜４のいずれかに記載の着物。
【請求項６】
着物の身八ツ口の下部近傍を縦にダーツを取って縫製する工程と、該着物をウエスト部位でたくし上げておはし折りを形成し、該おはし折りの内側の上部折り返しを表側の生地とともに横方向に縫製して止める工程とを備えたことを特徴とする着物の改造方法。
【請求項７】
着物の表側で、右側身八ッ口の下端近傍に第一のベルトを取り付ける工程と、着物の裏側で、左側身八ッ口の下端近傍に第二のベルトを取り付ける工程と、左右の衽に前記各ベルトを通すためのベルト通しを取り付ける工程とを備えていることを特徴とする請求項６に記載の着物の改造方法。
【請求項８】
袖の内部に伊達袖を取り付ける工程を備えていることを特徴とする請求項６又は７に記載の着物の改造方法。
【発明の詳細な説明】
【技術分野】
【０００１】
本発明は、面倒な補正や着付けをすることなく、誰でも簡単且つ迅速に着用することができ、着用した姿が美しく、しかも着崩れし難い着物及びそのような着物を得るための改造方法に関するものである。
【背景技術】
【０００２】
従来から知られている着物は、一般に、身体を包む身頃と、左右の手を通す一対の袖と、首の周囲から前側にかけて形成された衿とから構成されている。そして、前記身頃は前身頃と後身頃とからなり、この前身頃は上前身頃と下前身頃とからなる。
【０００３】
この着物は次のようにして着用する。まず袖に手を通しながらはおり、両方の衿を持って背の中心を合わせ、下前身頃の衿下をつまんで裾の長さを調節しながら左腰に押え付け、下前身頃に上前身頃を重ねる。
【０００４】
次に、この状態で着物の外側から腰紐をして腰から下の部分を身体に固定し、身八ツ口から手を入れて腰紐から上の部分を外側におろしておはし折りを前後ともきれいに形成する。そして、衿を整え、紐及びだて締めをした上で着付ベルトを付け、帯を結ぶ。
【０００５】
しかし、上記した従来の着物は、直線裁ちした布地を直線的に縫製して形成され、大小は有るとしても、定型になっている。
【０００６】
このため、この着物を着る場合、腰紐を使って、着丈を合わせたり、前後の生地余りを身八ツ口で重ねるようにして調節したり、胸や腰にパットを入れて補正したりするなど面倒な着付けが必要であり、着るのが非常に難しく、一人では着られない人も多く、不便なものであった。
【０００７】
そこで、実開昭６３−１２７９１１号公報で開示されているような新たな着物が提案されている。この着物は、通常仕立ての着物であって、仕上がりが着丈となるように腰揚をし、前後両身頃の腰揚上方にタックをとり腰揚の縫目部分で腰が細く成るように仕立て、右前身頃の腰揚の表部分にループ状留紐とベルベット式ファスナーを上下に取り付け、左脇裏側の腰揚の縫目部分近くに、上記留紐に結びつけて使用する結び紐を取り付け、更に左衽の裏側に上記ベルベット式ファスナーと対をなすファスナーが取り付けられているものである。
【０００８】
この着物は、予め腰揚（おはし折り）が形成されていて、簡単に着付けができるものではあるが、おはし折りがギャザースカートのように浮き上がり、外観の調和が取れず、通常の着物をきちんと着付けた場合と比べてかなりの違和感を与えるという欠点があった。
【０００９】
また、特開平４−５７９０６号公報で開示されているような新たな着物が提案されている。この着物は、身体に適合するように全部又は一部が立体的に曲線縫製され、且つあらかじめ形成されたおはし折りを有しており、このおはし折りは着用した状態で水平になるように、身巾に対応して湾曲し、且つ前側が下がるように傾斜し、衿と前身頃との接続部である衿付斜線が下側に膨らむように湾曲形成され、衿中央部が湾曲形成され、上部上前身頃が上部後見頃側にずらされ、生地余りが身八ツ口で上部後身頃の端部に重ねられているものである。
【００１０】
この着物は、洋服の縫製と同じように、着物の生地を各部の形状毎に裁断し、これらを組み合わせて縫製するので、普通の着物を改造する場合は、着物の生地にハサミを入れて各部の形状に裁断しなければならない。そして、着物は極めて高価であったり、思い出の品であったりして、このような着物に対してはハサミを入れて裁断・加工するには精神的に極めて抵抗感の有るものである。従って、高価な着物や思い出の品は改造することができなかった。
【特許文献１】実開昭６３−１２７９１１号公報
【特許文献２】特開平４−５７９０６号公報
【発明の開示】
【発明が解決しようとする課題】
【００１１】
解決しようとする問題点は、通常の着物を簡単に装着することができる簡易着物に改造する場合、身体のラインに沿ったものに改造しようとすると、着物を切らなければならず、着物を切らないで改造しようとすると改造された着物の外観が調和の取れない点である。
【課題を解決するための手段】
【００１２】
本発明に係る着物は、身八ッ口の下端近傍が縦にダーツを取って縫製され、おはし折りの内側の上部折り返しが表側の生地とともに横方向に縫製されて止められ、前記ダーツを取っている縫製によってウエスト部位がくびれ、前記ダーツを取って縫製された部位が前記おはし折りの表側に位置しているものである。
【００１３】
ここで、着物の表側で、右側身八ッ口の下端近傍に第一のベルトを取り付け、着物の裏側で、左側身八ッ口の下端近傍に第二のベルトを取り付け、左右の衽に前記各ベルトを通すためのベルト通しを各々取り付けてもよい。
【００１４】
また、左の衽に取り付けられたベルト通しを右の衽に取り付けられたベルト通しより高い位置に設けてもよい。また、前記ベルト通しを上下２段のループで構成してもよい。また、袖の内部に伊達袖を取り付けてもよい。
【００１５】
本発明に係る着物の改造方法は、着物の身八ツ口の下部近傍を縦にダーツを取って縫製する工程と、該着物をウエスト部位でたくし上げておはし折りを形成し、該おはし折りの内側の上部折り返しを表側の生地とともに横方向に縫製して止める工程とを備えたものである。
【００１６】
ここで、着物の表側で、右側身八ッ口の下端近傍に第一のベルトを取り付ける工程と、着物の裏側で、左側身八ッ口の下端近傍に第二のベルトを取り付ける工程と、左右の衽に前記各ベルトを通すためのベルト通しを取り付ける工程とを備えていてもよい。また、袖の内部に伊達袖を取り付ける工程を備えていてもよい。
【発明の効果】
【００１７】
この発明によれば、生地にハサミを入れることなく普通の着物を改造して、おはし折りが浮き上がらない、着姿に違和感の無い美麗な簡易着物を得ることができるという効果がある。
【００１８】
また、この発明によれば、着物の表側で、左側身八ッ口の下端近傍に第一のベルトを取り付け、着物の裏側で、右側身八ッ口の下端近傍に第二のベルトを取り付け、左右の衽に前記各ベルトを通すためのベルト通しを各々取り付けた場合、帯を付ける前に、着物を簡単に身体に密着して固定させることができるという効果がある。
【００１９】
また、この発明によれば、左の衽に取り付けられたベルト通しを右の衽に取り付けられたベルト通しより高い位置に設けた場合、裾たけ、裾のつぼまり具合を調節することができるという効果がある。
【発明を実施するための最良の形態】
【００２０】
普通の着物を着姿の良い簡易着物に改造するという目的を、生地にハサミを入れることなく実現した。
【実施例１】
【００２１】
図１は、本発明の実施例１に係る着物の正面図、図２は図１の着物の片方の衽を開いた状態の正面図、図３は図１の着物の両方の衽を開いた状態の正面図、図４は本発明の実施例１に係る着物の背面図である。
【００２２】
これらの図において、１０は上部身頃であり、上部身頃１０は上部前身頃１２と上部後身頃１４とからなる。上部前身頃１２は上部左前身頃１６と上部右前身頃１８とからなる。
【００２３】
上部左前身頃１６と上部右前身頃１８の対向している側の縁、すなわち衿付斜線２０で示された部分には衿２２が取り付けられ、衿２２の中央部は上部後身頃１４の上縁に取り付けられている。衿２２の内側にはスナップ（図示せず）が取り付けられ、衿２２を２つに折り返して固定できるようになっている。衿２２には白衿（図示せず）が取り付けられている。
【００２４】
上部身頃１０の両側、上部前身頃１２と上部後身頃１４の境界で、約半分から下側の部分には身八ツ口２４，２４が各々開口形成されている。上部身頃１０の両側の約半分から上の部分、すなわち身八ツ口２４，２４より上の部分は袖付け２６になっており、袖付け２６には一対の袖２８，２８が各々取り付けられ、袖２８，２８の内部には伊達袖（図示せず）が取り付けられている。
【００２５】
上部身頃１０の下側には下部身頃３０が延長形成されている。下部身頃３０は背中心の両側に位置する一対の下部後身頃３２と、下部後身頃３２の外側に形成された一対の下部前身頃３４，３４と、下部前身頃３４，３４の外側に形成された一対の衽３６，３６とからなる。下部身頃３０は身八ッ口２４，２４の下端近傍で縦にダーツを取って縫製され、着物のウエスト部位はこのダーツを取って縫製された部位３８によってくびれている。
【００２６】
下部身頃３０の上部はたくし上げられておはし折り４０になっており、おはし折り４０の内側の上部折り返し４２は表側の生地とともに横方向に縫製されて止められている。おはし折り４０の表側にはダーツを取って縫製された部位３８がおはし折り４０の内部に隠れた状態で位置している。おはし折り４０の端部、すなわち衽３６が折り返された折り返し部４４，４６は裏側に折り返されて表側から衽３６の裏地が見えないようになっている。
【００２７】
着物の表側で、右側の身八ッ口２４の下端近傍には第一のゴムベルト４８が取り付けられ、着物の裏側で、左側の身八ッ口２４の下端近傍には第二のゴムベルト５０が取り付けられている。おはし折り４０の両端部の折り返し部４４，４６には各ベルト４８，５０を通すためのベルト通し５２，５４が各々取り付けられている。ベルト通し５２，５４は上下２段のループからなる。左前身頃１６側の折り返し部４４に取り付けられたベルト通し５２は折り返し部４４から上方に突出しており、右前身頃１８側の折り返し部４６に取り付けられたベルト通し５４より高い位置に有る。後見頃で、おはし折りの上位置にはゴムベルト４８，５０を通すためのベルト通し５６が取り付けられている。
【００２８】
次に、このきものを改造する場合の一例について、図５〜図１１を参照しながら説明する。
【００２９】
普通に仕立てた仕立て上りの着物の前身頃５８と後身頃６０の左右の縫合部で身八ツ口２４の下端近傍（図５のＡ付近）を、着る人のウエストの形状に合うように、生地の裏側から縦にダーツを取って縫製し、着物のウエスト部位をくびれさせる。
【００３０】
ダーツを取って縫製するステップの詳細は次の通りである。まず、図６、図７に示すように着物の生地の端部をつまみ（ステップ１，２）、このつまんだ部分を、図８、図９及び図１０に矢印で示すように折り畳み（ステップ３，４，５）、図１１に示すように矩形に縫製して、このつまんだ部分を固定する（ステップ６）。
【００３１】
次に、この着物をウエスト部位でたくし上げておはし折り４０を形成し、おはし折り４０の内側の上部折り返し４２を表側の生地とともに横方向に縫製して止める。この時、衽線から続く直線はおはし折り４０の柄ゆきときちんと合い、更に下衣部の柄ゆきともきれいに合うように合わせて縫製する。
【００３２】
おはし折り４０の衿先はおはし折り４０を形成した折りに裏側に折れて、飛び出して、裏地が見えて見苦しいので、この部分は着物の表側から見えないように内側に折り曲げて着物の裏側に縫い付ける。
【００３３】
次に、着物の表側で、右側の身八ッ口２４の下端近傍に第一のゴムベルト４８を取り付け、着物の裏側で、左側の身八ッ口２４の下端近傍に第二のゴムベルト５０を取り付ける。そして、左右の衽３６に各ゴムベルト４８，５０を通すための上下２段のループからなるベルト通し５２，５４を取り付ける。左の衽３６のベルト通し５２は右の衽３６のベルト通し５４より高い位置に取り付ける。
【００３４】
後見頃６０で、おはし折り４０の上位置にはゴムベルト４８，５０を通すためのベルト通し５６を取り付ける。また、衿２２の内側には衿２２の形をきれいにきちんと形成するためのスナップを取り付ける。袖２８の内部に伊達袖を取り付ける。
【００３５】
次に、この着物を装着する場合について図１２及び図１３を参照しながら説明する。
【００３６】
まず、下着は洋服の時と同様。汗が気になる時は軽いワンピースかＴシャツを着る。出来上がっている着物に白衿をマジックテープ（登録商標）で固定し、はおる。衿２２の抜き加減を好みで選び、ひと巻きして身体に固定させる（図１２参照）。
【００３７】
次に、着物のゴムベルト４８，５０を好みの位置の衽３６のベルト通し５２，５４に通して着物丈を決め、ウエスト後でベルト通し５６に通して交叉させ、前で止める。ここで、ベルト通し５２，５４の上段にゴムベルト４８，５０を通すと着物丈は普通になり、ベルト通し５２，５４の下段にゴムベルト４８，５０を通すと裾線は上がる。
【００３８】
次に、身八ツ口２４の側に着物を引っ張り、背中部分をすっきりさせる。そして、その上から通常の手法に従って、図１３に示すように、帯を巻き付け、帯紐で帯を留める。
【図面の簡単な説明】
【００３９】
【図１】本発明の実施例１に係る着物の正面図である。
【図２】図１の着物の片方の衽を開いた状態の正面図である。
【図３】図１の着物の両方の衽を開いた状態の正面図である。
【図４】本発明の実施例１に係る着物の背面図である。
【図５】ダーツを取って縫製する作業を説明する基本説明図である。
【図６】ダーツを取って縫製する作業（第１ステップ）を説明する説明図である。
【図７】ダーツを取って縫製する作業（第２ステップ）を説明する説明図である。
【図８】ダーツを取って縫製する作業（第３ステップ）を説明する説明図である。
【図９】ダーツを取って縫製する作業（第４ステップ）を説明する説明図である。
【図１０】ダーツを取って縫製する作業（第５ステップ）を説明する説明図である。
【図１１】ダーツを取って縫製する作業（第６ステップ）を説明する説明図である。
【図１２】本発明の実施例１に係る着物を着付けた状態の説明図である。
【図１３】本発明の実施例１に係る着物を着付け、帯を締めた状態の説明図である。
【符号の説明】
【００４０】
１０ 上部身頃
１２ 上部前身頃
１４ 上部後身頃
１６ 上部左前身頃
１８ 上部右前身頃
２０ 衿付斜線
２２ 衿
２４ 身八ッ口
２６ 袖付け
２８ 袖
３０ 下部身頃
３２ 下部後身頃
３４ 下部前身頃
３６ 衽
３８ 部位
４０ おはし折り
４２ 上部折り返し
４４ 折り返し部
４６ 折り返し部
４８ ゴムベルト
５０ ゴムベルト
５２ ベルト通し
５４ ベルト通し
５６  ベルト通し
５８  前身頃
６０  後身頃
【図１】
2006249592.tif 000003
【図２】
2006249592.tif 000004
【図３】
2006249592.tif 000005
【図４】
2006249592.tif 000006
【図５】
2006249592.tif 000007
【図６】
2006249592.tif 000008
【図７】
2006249592.tif 000009
【図８】
2006249592.tif 000010
【図９】
2006249592.tif 000011
【図１０】
2006249592.tif 000012
【図１１】
2006249592.tif 000013
【図１２】
2006249592.tif 000014
【図１３】
2006249592.tif 000015